(57)【要約】【課題】内面パネルに取り付けられた整流板の取り付けられたレンジフードにおいて、内面パネルの清掃性を向上させることのできるレンジフードを提供する。【解決手段】レンジフード１は、ファンを備えた送風ボックス３と、送風ボックスの下方に取り付けられたフード２と、フードの内面を形成し、送風ボックスに空気を取り込む開口部を有する内面パネル５と、内面パネルから離間した状態で開口部を覆う整流板１０と、整流板を支持する支持機構と、を備え、内面パネルは磁性体素材を含み、支持機構は、整流板の基端を回動可能に支持するヒンジ部３０と、整流板の基端よりも先端側に設けられた、内面パネルに磁着する磁着部２０と、を含む。【選択図】図３
2018115825.tif 000002
【特許請求の範囲】
【請求項１】
ファンを備えた送風ボックスと、
前記送風ボックスの下方に取り付けられたフードと、
前記フードの内面を形成し、前記送風ボックスに空気を取り込む開口部を有する内面パネルと、
前記内面パネルから離間した状態で前記開口部を覆う整流板と、
前記整流板を支持する支持機構と、を備え、
前記内面パネルは磁性体素材を含み、
前記支持機構は、
前記整流板の基端を回動可能に支持するヒンジ部と、
前記整流板の前記基端よりも先端側に設けられた、前記内面パネルに磁着する磁着部と、
を含む、レンジフード。
【請求項２】
前記磁着部が磁着する前記内面パネルの表面部分が、当該表面部分の拭き取り作業に支障が生じない程度の平滑面に形成されている、請求項１に記載のレンジフード。
【請求項３】
前記磁着部の前記整流板に対する角度が可変となるように、前記磁着部を前記整流板に取り付けるための取付部をさらに含む、請求項１または２に記載のレンジフード。
【請求項４】
前記取付部は、
前記整流板に固定された固定部と、
前記磁着部に固定された基端部と、前記整流板の回動方向と同じ方向に回動可能となるように前記固定部に軸支された先端部とを有する連結部と、を含む、請求項３に記載のレンジフード。
【請求項５】
前記連結部は、前記整流板の回動方向と直交する方向に弾性変形自在である、請求項４に記載のレンジフード。
【請求項６】
前記磁着部は、前記内面パネルに対する吸着面が弾性素材で覆われている、請求項１〜請求項５のいずれか一項に記載のレンジフード。
【請求項７】
前記磁着部は、前記整流板の前記基端とする縁部の両側に隣接する２つの縁部それぞれに取り付けられる、請求項１〜請求項６のいずれか一項に記載のレンジフード。
【発明の詳細な説明】
【技術分野】
【０００１】
この発明はレンジフードに関し、特に、整流板を有するレンジフードに関する。
【背景技術】
【０００２】
レンジフードはシロッコファンやターボファンなどの気流発生器を内蔵し、室内の空気を内面パネルの吸い込み口から吸い込んで天井や壁などのダクトを通して室外に排気する。吸い込み口にはフィルタが取り付けられ、吸い込んだ空気から調理に伴って発生する油煙等を捕集する。
【０００３】
内面パネルの吸い込み口の前面となる、吸い込まれる空気の上流側に、吸い込み口の面積を狭くするように整流板が配されるレンジフードがある。整流板は、吸い込み口の面積を狭くすることで吸い込み力を大きくし、吸い込む効率を向上させるために設けられる。
【０００４】
整流板は、内面パネルの清掃や整流板自体の清掃のために、レンジフードに対して開閉可能に取り付けられる場合がある。そのため、整流板を内面パネルに対して取り付け支持する機構は、一例として、前側に設けられた係止解除可能な磁着部と、後側に設けられた回動可能なヒンジ部と、を含む。
【先行技術文献】
【特許文献】
【０００５】
【特許文献１】特開２０１５−１５２２９６号公報
【発明の概要】
【発明が解決しようとする課題】
【０００６】
レンジフードは空気から調理に伴って発生する油煙等を吸い込むため、内面パネル表面に取り付け支持機構などの凹凸があると油等の汚れが付着しやすく、かつ、清掃が難しくなる。そのため、清掃性の観点からは、内面パネル表面に取り付け支持機構などの凹凸のない形状が望まれる。このような課題に着目して、特開２０１５−１５２２９６号公報（特許文献１）では、整流板の保持機構として内面パネルには孔のみを設ける機構が開示されている。
【０００７】
しかしながら、特許文献１に開示されたような保持機構の場合、内面パネルに孔が設けられているために使用によって油等の汚れが当該孔に溜まるとともに、孔内を清掃しなければならないため凹凸のない場合に比べて清掃性に劣る。
【０００８】
本発明のある局面における目的は、内面パネルに取り付けられた整流板の取り付けられたレンジフードにおいて、内面パネルの清掃性を向上させることのできるレンジフードを提供することである。
【課題を解決するための手段】
【０００９】
ある実施の形態に従うと、レンジフードは、ファンを備えた送風ボックスと、送風ボックスの下方に取り付けられたフードと、フードの内面を形成し、送風ボックスに空気を取り込む開口部を有する内面パネルと、内面パネルから離間した状態で開口部を覆う整流板と、整流板を支持する支持機構と、を備え、内面パネルは磁性体素材を含み、支持機構は、整流板の基端を回動可能に支持するヒンジ部と、整流板の基端よりも先端側に設けられた、内面パネルに磁着する磁着部と、を含む。
これにより、内面パネルが整流板を取り付けるための機構による形状の制約を受けない。そのため、内面パネル表面を平面または略平面などとすることができる。これにより、内面パネル表面への油等の汚れの付着を抑えることができるとともに、内面パネル表面の清掃性を向上させることができる。
【００１０】
好ましくは、磁着部が磁着する内面パネルの表面部分が、当該表面部分の拭き取り作業に支障が生じない程度の平滑面に形成されている。
これにより、内面パネルの清掃性を向上させることができる。
【００１１】
好ましくは、レンジフードは、磁着部の整流板に対する角度が可変となるように、磁着部を整流板に取り付けるための取付部をさらに含む。
これにより、内面パネルの被磁着部に多少の凹凸や歪が生じている場合であっても、磁着部は凹凸や歪みに応じた角度で内面パネルに効率よく磁着できる。そのため、整流板を内面パネルに対して確実に磁着させることができる。
【００１２】
好ましくは、取付部は、整流板に固定された固定部と、磁着部に固定された基端部と、整流板の回動方向と同じ方向に回動可能となるように固定部に軸支された先端部とを有する連結部と、を含む。
これにより、整流板を開放する際に磁着部にかかる負担が抑えられる。
【００１３】
好ましくは、連結部は、整流板の回動方向と直交する方向に弾性変形自在である。
これにより、内面パネルの被磁着部に多少の凹凸や歪が生じている場合であっても、磁着部を凹凸や歪みに応じた角度として内面パネルに確実に、かつ、効率よく磁着させることができる。
【００１４】
好ましくは、磁着部は、内面パネルに対する吸着面が弾性素材で覆われている。
これにより、磁着部が内面パネルに磁着する際に生じる金属音を防止、または軽減できる。また、内面パネル表面に多少の凹凸や歪が生じている場合であっても、弾性素材が凹凸や歪みを吸収して磁着部が内面パネルに磁着できる。また、磁石が接触して内面パネル表面が損傷することを防止できる。
【００１５】
好ましくは、磁着部は、整流板の基端とする縁部の両側に隣接する２つの縁部それぞれに取り付けられる。
これにより、内面パネルに整流板が確実に磁着されるとともに、ユーザは、両手で整流板の内面パネルに対する磁着を解除することができ、使い勝手を向上させることができる。
【発明の効果】
【００１６】
この発明によると、内面パネルに取り付けられた整流板の取り付けられたレンジフードにおいて、内面パネルには整流板を取り付けるための機構が設けられない。そのため、当該機構のための凹凸を内面パネル表面からなくすことができ、当該凹凸への油等の汚れの付着をなくすことができるとともに、内面パネル表面の清掃性を向上させることができる。
【図面の簡単な説明】
【００１７】
【図１】実施の形態にかかるレンジフードの一部切欠側面図である。
【図２】閉状態のレンジフードの、下方向からの斜視図である。
【図３】開状態のレンジフードの、下方向からの斜視図である。
【図４】磁着部の拡大図である。
【図５】ヒンジ部周辺の拡大図である。
【図６】ヒンジ部周辺の拡大図である。
【図７】ホルダ部を表した図である。
【図８】ハンガー部を表した図である。
【図９】ホルダ部とハンガー部との組み立て斜視図である。
【図１０】整流板の着脱手順を説明するための図である。
【発明を実施するための形態】
【００１８】
以下に、図面を参照しつつ、好ましい実施の形態について説明する。以下の説明では、同一の部品および構成要素には同一の符号を付してある。それらの名称および機能も同じである。したがって、これらの説明は繰り返さない。
【００１９】
［レンジフード全体の説明］
図１は本実施の形態にかかるレンジフード１の一部切欠側面図であり、図２および図３はレンジフード１の下方向からの斜視図である。図１を参照して、レンジフード１は、気流発生器であるファン４を内蔵した送風ボックス３と、その下部に取り付けられた、下面が開放された扁平箱型のフード２と、を有する。
【００２０】
フード２は、内面を形成するパネルである内面パネル５を有する。フード２の送風ボックス３との接続部付近には図示しない開口が設けられ、内面パネル５は、当該開口位置に対応した位置に、送風ボックス３に空気を取り込むための開口部５Ａを有する。開口部５Ａには、フィルタ６が備えられる。
【００２１】
内面パネル５の下方であって開口部５Ａの空気の流れの上流側には、内面パネル５から離間した状態で開口部５Ａを覆うように整流板１０が支持される。整流板１０は、開口部５Ａから吸い込まれる空気の流れを整流する。整流板１０は、たとえば、後縁部１０ａ、前縁部１０ｂ、右縁部１０ｃ、および左縁部１０ｄである四辺を有する四角板状である。なお、各縁部１０ａ，１０ｂ，１０ｃ，１０ｄは、整流板１０の四辺およびその近傍を含む範囲を指す。近傍は、たとえば、整流板１０の各辺からフランジ状に形成された、図示しない鍔部などを含む。
【００２２】
レンジフード１では、ファン４によって発生した気流によって当該レンジフード１の設置された室内の空気が上昇して内面パネル５および整流板１０に当たり、内面パネル５と整流板１０との隙間から開口部５Ａに吸い込まれる。その際に、空気はフィルタ６を通過することで、空気に含まれる油分や埃などがフィルタ６によって回収される。開口部５Ａから吸い込まれた室内の空気は、フード２の図示しない開口を通過して送風ボックス３に取り込まれ、ファン４を通過して図示しないダクトから室外に排気される。
【００２３】
フード２は、レンジフード１の設置時に水平または略水平となる扁平箱型である。フード２の背面と送風ボックス３の背面とは同一面または概ね同一面であり、レンジフード１は、背面を室内の壁面に接して設置可能である（壁付け型）。以降の説明では、レンジフード１が背面によって壁付け施工されているものとするが、側面によって壁付け施工されていてもよい。また、レンジフード１は壁面に接することなく、天井に接して設置されてもよい（天井付け型）。
【００２４】
内面パネル５の開口部５Ａ周囲は、レンジフード１の設置時に水平または略水平となる面形状である。内面パネル５の縁は下方へ延在して、後内壁部５ａ、前内壁部５ｂ、右内壁部５ｃ、および左内壁部５ｄを形成する。整流板１０は、内面パネル５の開口部５Ａ周囲の面と概ね平行に内面パネル５に支持される。
【００２５】
内面パネル５は磁性体素材を含み、たとえば、鉄、コバルト、およびニッケルなどを含む。内面パネル５は、たとえばホーロー製である。
【００２６】
整流板１０を内面パネル５に対して支持するための支持機構は、磁着部２０と、ヒンジ部３０と、を含む。ヒンジ部３０は、整流板１０の縁部１０ａ，１０ｂ，１０ｃ，１０ｄのいずれか１つの縁部を基端として、整流板１０を上下方向に回動可能に軸支する。ヒンジ部３０のヒンジ軸は、内面パネル５表面と平行であり、かつ、基端とする整流板１０の縁部と平行である。
【００２７】
磁着部２０は整流板１０の基端よりも先端側に設けられる。基端よりも先端側は、整流板１０の基端である上記１つの縁部を除く範囲である。磁着部２０は、内面パネル５の対応する位置である被磁着部５Ｂに磁着する。
【００２８】
好ましくは、磁着部２０は、上記１つの縁部に隣接する２つの縁部それぞれに取り付けられる。一例として、ヒンジ部３０は整流板１０の後縁部１０ａを基端として支持し、磁着部２０は、整流板１０の左右縁部１０ｃ，１０ｄそれぞれに設けられる。これにより、ユーザは、両手で整流板１０の左右縁部１０ｃ，１０ｄの前方を持って内面パネル５への磁着を解除することができ、使い勝手を向上させることができる。磁着部２０およびヒンジ部３０については、それぞれ後に詳しく説明する。
【００２９】
整流板１０が内面パネル５に磁着している状態を以降の説明では閉状態とも言う。閉状態のとき、整流板１０は、図１において実線で表された第１の位置Ｐ１にある。
【００３０】
図２は、整流板１０が閉状態であるレンジフード１の、下方からの斜視図である。図２に示されるように、整流板１０は、閉状態において開口部５Ａを覆うように支持される。これにより開口部５Ａに吸い込まれる空気の流れが整流される。
【００３１】
整流板１０の内面パネル５に対する磁着が解消されると、整流板１０は、自重によって下向きに回動する。そして、整流板１０は、ヒンジ部３０によって内面パネル５に対して釣支される。整流板１０が内面パネル５に対して釣支された状態を以降の説明では開状態とも言う。図１の点線は、開状態のときの整流板１０の位置である第３の位置Ｐ３を表している。整流板１０は、内面パネル５に対する磁着が解消されると、自重によって位置Ｐ１から後述する位置Ｐ２を経て位置Ｐ３に下向きに回動する。この動作を開放動作とも言う。
【００３２】
図３は、整流板１０が開状態であるレンジフード１の、下方からの斜視図である。図３に示されるように、開状態のとき、整流板１０は内面パネル５に対して釣支され、開口部５Ａが開放される。これにより内面パネル５表面や整流板１０の内面パネル５側の面表面の汚れが拭き取りやすくなる。
【００３３】
［磁着部の説明］
図１〜図３を参照して、磁着部２０は、内面パネル５には設けられず、整流板１０にのみ設けられる。そのため、図３に示されるように、内面パネル５の表面形状が磁着部２０による制約を受けない。内面パネル５には、該磁着部２０が磁着する被磁着部５Ｂが設けられればよい。これにより、内面パネル５の表面を平滑に形成することができる。
【００３４】
被磁着部５Ｂは内面パネル５の表面から凹であってもよいし、表面から凸であってもよいし、凹凸がなくてもよい。すなわち、上記平滑面は、凹凸の全くない完全な平面のみならず、内面パネル５の表面部分の拭き取り作業に支障が生じない程度の多少の凹凸を含んでもよい。拭き取り作業に支障が生じない程度の凹凸とは、内面パネル５の表面に対して緩やかな勾配での凹凸を言う。一例として、内面パネル５の表面に対して凸形状までの成す角度が９０度よりも小さい、または凹形状までの成す角度が９０度よりも小さい、程度の凹凸を言う。これにより、多少の凹凸が生じていても当該凹凸部分に付着する油等の汚れも少なく、また、布等によって汚れを容易に拭き取ることができる。従って、内面パネル５の表面をこのような形状とすることにより、内面パネル５表面の清掃性を向上させることができるとともに、油等の汚れが溜まることを防止して清潔に保つことができる。
【００３５】
一例として、ヒンジ部３０が内面パネル５の後内壁部５ａにおいて整流板１０の後縁部１０ａを軸支する場合、磁着部２０は、整流板１０の左右縁部１０ｃ，１０ｄそれぞれに設けられる。詳しくは、磁着部２０は、左右縁部１０ｃ，１０ｄそれぞれの、前縁部１０ｂから長さｌ（エル）の位置近傍に設けられる。整流板１０の左右縁部１０ｃ，１０ｄの長さをＬとすると、長さｌは、０＜ｌ＜Ｌである。好ましくは、長さｌは、ｌ≒Ｌ／３である。磁着部２０がこのような位置に設けられることで、内面パネル５に整流板１０が確実に磁着されるとともに、ユーザは整流板１０の左右縁部１０ｃ，１０ｄの前方に両手を掛けて下方向に加重するなどによって整流板１０の内面パネル５に対する磁着を容易に解消することができる。
【００３６】
図４は、磁着部２０の拡大図である。図４を参照して、磁着部２０は、取付部２１によって整流板１０の左右縁部１０ｃ，１０ｄに取り付けられる。磁着部２０の内面パネル５に対する吸着面２０ａは、平滑面である。吸着面２０ａは、磁石による吸着力によって内面パネル５の被磁着部５Ｂに磁着する。
【００３７】
好ましくは、吸着面２０ａはゴムなどの弾性素材で被覆されている。これにより、磁着部２０が内面パネル５に磁着する際に生じる金属音を防止、または軽減できる。また、被磁着部５Ｂに多少の凹凸や歪が生じている場合であっても、弾性素材が凹凸や歪みを吸収して内面パネル５に磁着する。また、磁石が接触して被磁着部５Ｂが損傷することを防止できる。
【００３８】
好ましくは、吸着面２０ａは、整流板１０の回動方向の長さの方が、回動軸芯方向の長さよりも長く形成される。詳しくは、図４を参照して、吸着面２０ａは、整流板１０の左縁部１０ｄ（または右縁部１０ｃ）に平行する方向の長さの方が、前縁部１０ｂ（または後縁部１０ａ）に平行する方向の長さよりも長い。これにより、整流板１０の内面パネル５への磁着の効率を向上させることができる。
【００３９】
取付部２１は、磁着部２０の整流板１０に対する角度が可変となるように、磁着部２０を整流板１０に取り付ける。取付部２１は、整流板１０に固定された固定部２１Ａと、連結部２１Ｂと、を含む。連結部２１Ｂは、一方端が磁着部２０に固定される。これによって、当該一方端は基端として、整流板１０に固定される。連結部２１Ｂの他方端は、整流板１０の回動方向と同じ方向に回動可能となるように固定部２１Ａに軸支される。これによって、整流板１０を開放する際に磁着部２０にかかる負担が抑えられる。
【００４０】
好ましくは、連結部２１Ｂは、整流板１０の回動方向と直交する方向に弾性変形自在である。一例として、連結部２１Ｂは、たとえば、樹脂などの弾性素材で形成される。または、連結部２１Ｂは、ばねなどの弾性構造を有する。これにより、被磁着部５Ｂに多少の凹凸や歪が生じている場合であっても、磁着部２０を凹凸や歪みに応じた角度として内面パネル５に確実に、かつ、効率よく磁着させることができる。
【００４１】
［ヒンジ部の説明］
図５および図６は、ヒンジ部３０周辺の拡大図である。図５はヒンジ部３０が整流板１０を軸支している状態を表し、図６は整流板１０を取り除いた状態を表している。図５および図６を参照して、ヒンジ部３０は、内面パネル５に取り付けられたホルダ部５０と、整流板１０の基端に取り付けられたハンガー部１１と、を含む。
【００４２】
ホルダ部５０は、一例として、内面パネル５の後内壁部５ａの左右側それぞれに概ね左右対称の位置に２つ、取り付けられる。これにより、整流板１０を安定して開閉させることができる。また、開放動作の際のヒンジ部３０にかかる負担を軽減することができる。または、ホルダ部５０は、内面パネル５の後内壁部５ａの左右方向のほぼ中央に１つ取り付けられてもよい。これにより、部品数を減らすことができるとともに、構造を簡易にすることで清掃性を向上させることができる。
ハンガー部１１は、整流板１０の基端となる後縁部１０ａの、ヒンジ部３０に対応する位置に取り付けられる。
【００４３】
ヒンジ部３０は、整流板１０の下向きの回動時に逆向きのトルクを発生させる。これにより、整流板１０は、開放動作の際に、下向きの回転速度が減速される。つまり、ヒンジ部３０は、整流板１０の下向きの回動時に減速させる減速機能を有する。
【００４４】
ホルダ部５０は、ダンパー４０を固定して内包する。ダンパー４０は、たとえばロータリーダンパーや揺動ダンパーなどである。ヒンジ軸４１は、ダンパー４０に対して回転可能に取り付けられている。ダンパー４０は、ヒンジ軸４１の下向きの回転に対して逆向きのトルクを発生させる。
【００４５】
図７はホルダ部５０を表した図であり、図８はハンガー部１１を表した図である。さらに、図８の（Ａ）は、ハンガー部１１を整流板１０側（表面とする）から見た図であり、（Ｂ）はその裏面側、つまり内面パネル５側（裏面とする）から見た図である。図７では、説明のために、ホルダ部５０からダンパー４０が取り除かれている。
【００４６】
図７を参照して、ホルダ部５０は、ダンパー４０を収容可能な内空を有する半円筒殻形状に曲成されたケース部５０Ａと、ケース部５０Ａの上方に凸設されたストッパー５３と、を有する。
【００４７】
ケース部５０Ａの内空には、ダンパー４０に取り付けられたヒンジ軸４１がホルダ部５０の端部から露出するようにダンパー４０が内蔵される。ダンパー４０は、ホルダ部５０の内空に固定される。
ストッパー５３は、ケース部５０Ａの外周に連続し、当該外周面に対して角度をなす当接面３３ａを有する。
【００４８】
ケース部５０Ａの外周には切り欠き部５１が貫設される。切り欠き部５１は、回動方向に延設された第１溝部５１ａと、第１溝部５１ａ途中の位置からケース部５０Ａの一方端に向けて軸芯方向に延設された第２溝部５１ｂと、を含む。好ましくは、第２溝部５１ｂの溝中心５１ｍは、軸芯方向に段差状に延伸する。言い換えると、第２溝部５１ｂの溝中心５１ｍは、折曲した折曲部５１ｄを１つ以上経て、軸芯方向に延伸する。具体的には、図７を参照して、第１溝部５１ａ途中の位置から軸芯方向に延設された第２溝部５１ｂは、第２溝部５１ｂに対して溝中心が折曲部５１ｄを介して連続して軸芯方向に延伸する第２溝部５１ｃに接続される。
【００４９】
さらに、ケース部５０Ａの外周の他方端には、第２溝部５１ｂ，５１ｃの位置を示すマーク５２が付設される。マーク５２は、たとえば、軸芯方向に延設された溝である。好ましくは、マーク５２は、第２溝部５１ｂ，５１ｃそれぞれの位置を示すマーク５２ｂ，５２ｃを含む。マーク５２ｂ，５２ｃは、たとえば、第２溝部５１ｂ，５１ｃの溝中心５１ｍに対応して折曲して軸芯方向に延設された溝である。
【００５０】
図８（Ａ）を参照して、ハンガー部１１は表面側に、整流板１０と接合するための接合部１２と、接合部１２の上方に凸設されたストッパー１７と、を有する。
【００５１】
接合部１２は、たとえば、整流板１０の後縁部１０ａを保持可能な鍔部と、鍔部に保持された後縁部１０ａをボルトで結合するためのボルト穴と、を有する。接合部１２によって、ハンガー部１１は後縁部１０ａに接合される。
【００５２】
ストッパー１７は接合部１２に連続して設けられ、接合部１２と平行に延びる。ストッパー１７は、接合部１２から遠い側に、ハンガー部１１表面から角度をなす当接面１７ａを有する。また、ストッパー１７のハンガー部１１表面と概ね平行な面には、後述するガイドピン１５の位置を示すマーク１６が付設される。マーク１６は、たとえば、接合部１２に平行に延設された溝である。
【００５３】
図８（Ｂ）を参照して、ハンガー部１１の裏面全体は、ヒンジ部３０のケース部５０Ａを覆うカバー部１３を構成する。カバー部１３はケース部５０Ａの外周と一致した形状である。
【００５４】
カバー部１３は、ヒンジ軸４１と嵌脱自在に嵌合する嵌合部１４が設けられた端部を有する。嵌合部１４は、中心軸方向が整流板１０の後縁部１０ａと平行する環状部である。嵌合部１４は、嵌合状態でヒンジ軸４１の回動を規制する。
【００５５】
カバー部１３には、ガイドピン１５が突設される。ガイドピン１５の接合部１２と平行する方向の長さは第１溝５１ａの溝幅以下である。ガイドピン１５の接合部１２と直交する方向の長さは第１溝５１ａから連続する第２溝５１ｂの溝幅以下である。ガイドピン１５のカバー部１３裏面からの高さは、ホルダ部５０のケース部５０Ａ表面からケース部５０Ａに内蔵されるダンパー４０までの長さ未満である。
【００５６】
［整流板の開放動作の説明］
図９は、ホルダ部５０とハンガー部１１との組み立て斜視図である。図９を参照して、ホルダ部５０から露出したヒンジ軸４１は、嵌合部１４と軸芯を一致させて、ハンガー部１１の嵌合部１４が設けられていない方の端部からハンガー部１１の裏面側を通過して、図９の破線矢印Ｂの向きに嵌合部１４に挿入される。嵌合部１４に挿入されたヒンジ軸４１は、嵌合部１４と嵌合する。ヒンジ軸４１を破線矢印Ｂの向きに嵌合部１４に挿入する際に、カバー部１３はホルダ部５０のケース部５０Ａ外周を包接する。
【００５７】
嵌合部１４に嵌合したヒンジ軸４１は、回動方向に固定される。これにより、ハンガー部１１から嵌合部１４を介してヒンジ軸４１に回転力が伝達される。つまり、ハンガー部１１の接合部１２に接合された整流板１０の上下方向の回動による回転力が嵌合部１４を介してヒンジ軸４１に伝達される。
【００５８】
ヒンジ軸４１は、嵌合部１４を介して伝達された回転力によって、ホルダ部５０に固定されたダンパー４０に対して回動する。ダンパー４０は、ヒンジ軸４１の下向きの回転時に逆向き（上向き）のトルクを発生させ、ヒンジ軸４１に与える。発生したトルクは、嵌合部１４を介してハンガー部１１、つまり、ハンガー部１１の接合部１２に接合された整流板１０に伝達される。
【００５９】
嵌合部１４に嵌合したヒンジ軸４１を回動方向に固定するための機構の一例として、ヒンジ軸４１および嵌合部１４は、それぞれ、回動を規制するための特定形状を有する。ヒンジ軸４１および嵌合部１４の特定形状は、たとえば、それぞれ、軸芯方向に直交する面での円形断面の対応する位置が一部欠切されたＤ字形状である。ヒンジ軸４１断面の切り欠き４１ａと嵌合部１４の切り欠き１４ａとは、それぞれ、ヒンジ軸４１を嵌合部１４に図９の破線矢印Ｂの方向に挿入する際に一致する位置に配設される。そのため、ヒンジ軸４１を嵌合部１４に図９の破線矢印Ｂの向きに挿入すると、ヒンジ軸４１の切り欠き４１ａが嵌合部１４の切り欠き１４ａと咬合する。これにより、ヒンジ軸４１が軸止される。つまり、ハンガー部１１の取り付けられた整流板１０が、ヒンジ軸４１の取り付けられたダンパー４０を内蔵するホルダ部５０の取り付けられた内面パネル５に対して、回動可能に係止される。
【００６０】
ダンパー４０によって発生された、整流板１０の回転とは逆向きのトルクが整流板１０に伝達されることで、整流板１０が下向きに回動する際の回転速度が減速される。つまり、整流板１０の開放動作の際の回転速度が、自重による回転速度よりも遅くなる。そのため、整流板１０を開放する際に整流板１０が勢いよく下方に回転せず、緩やかに回転する。これによって、整流板１０の開放動作時にレンジフード１の背面の壁面に激しく衝突したり、レンジフード１下方の人や物に激しく衝突したりすることを防止できる。また、整流板１０が位置Ｐ１から位置Ｐ３に緩やかに回転するため、回転の支点となるヒンジ部３０にかかる負荷を抑えることができる。また、高級感ある開放動作を実現できる。
【００６１】
［整流板の着脱機構の説明］
嵌合部１４に嵌合したヒンジ軸４１は、嵌合部１４に対して図９の破線矢印Ｂの向きおよびその逆向き、すなわち軸芯方向に挿脱可能に嵌挿される。このため、磁着部２０の磁着を解消し、図６に表されたように、整流板１０を矢印Ａ方向である軸芯方向にスライドさせることによって、整流板１０は内面パネル５に対して着脱可能となる。
【００６２】
整流板１０が内面パネル５から取り外されると、内面パネル５の清掃性がさらに向上するとともに、整流板１０の清掃性も向上する。なお、以降の説明において、ヒンジ軸４１が嵌合部１４に挿脱可能なハンガー部１１の回動方向の位置、つまり、図９に表されたハンガー部１１のホルダ部５０に対する回動方向の位置を、整流板１０の着脱位置とも言う。
【００６３】
整流板１０の着脱位置は、図１において、閉状態となる位置Ｐ１から開状態となる位置Ｐ３までの範囲のうちの、第２の位置Ｐ２で表されている。位置Ｐ２は位置Ｐ１とは異なる位置である。このようにすることで、整流板１０が内面パネル５に装着された状態において、意図せずに係止が解消され、整流板１０が内面パネル５から落下することを防止できる。また、位置Ｐ２は、整流板１０が内面パネル５から真下方向に垂れ下がる状態となる位置とは異なる位置である。このようにすることで、整流板１０の開放動作中に意図せずに係止が解消され、整流板１０が落下することを防止できる。
【００６４】
ガイドピン１５は、整流板１０が装着された状態において第１溝部５１ａに対応したカバー部１３上の位置に突設される。これにより、整流板１０が装着された状態においてガイドピン１５は第１溝部５１ａに嵌挿される。そして、第１溝部５１ａに嵌挿されたガイドピン１５は、整流板１０の上下方向の回動に伴って、第１溝部５１ａに沿って、つまり回動方向に移動案内される。言い換えると、第１溝部５１ａおよびガイドピン１５は、内面パネル５に装着された整流板１０の上下方向の回動を許容し、かつ、軸芯方向のスライドを制限する。
【００６５】
第２溝５１ｂは、第１溝部５１ａに嵌挿されたガイドピン１５の着脱位置における位置から軸芯方向に延びる。これにより、ガイドピン１５は、整流板１０を図６の矢印Ａ方向にスライドさせて着脱する際に、第２溝５１ｂに沿って、つまり図６の矢印Ａ方向に移動案内される。言い換えると、第２溝５１ｂおよびガイドピン１５は、内面パネル５に装着された整流板１０の軸芯方向のスライドを許容し、かつ、上下方向の回動を制限する。
【００６６】
第１溝部５１ａおよび第２溝５１ｂがホルダ部５０に設けられ、かつ、ガイドピン１５がハンガー部１１に設けられることによって、整流板１０の着脱位置が位置Ｐ１から位置Ｐ３までの範囲のうちの位置Ｐ２に限定され、その他の位置では整流板１０の着脱が許容されない。これにより、整流板１０が開放状態や、開閉動作中の意図しない位置において意図せず内面パネル５から離脱することを防止することができる。
【００６７】
なお、第１溝部５１ａおよび第２溝５１ｂと、ガイドピン１５とは、ホルダ部５０およびハンガー部１１に対して、上記の説明とは逆に設けられてもよい。つまり、第１溝部５１ａおよび第２溝５１ｂがハンガー部１１に設けられ、かつ、ガイドピン１５がホルダ部５０に設けられてもよい。
【００６８】
マーク１６，５２は、それぞれ、ハンガー部１１およびホルダ部５０の、整流板１０が内面パネル５に装着された状態で着脱位置であるときに一致する位置に配置される。つまり、整流板１０を、ハンガー部１１のマーク１６が内面パネル５に取り付けられたホルダ部５０のマーク５２と同一直線となる回動方向の位置として、図６のＡ方向にスライドさせることで、内面パネル５に対して着脱可能となる。
【００６９】
マーク１６，５２が設けられることで、ユーザが意図的にマーク１６，５２が同一直線となる角度としたときのみに整流板１０が内面パネル５に対して着脱され、たとえば開閉動作中や開状態や閉状態などのその他の位置において、ユーザが意図せず着脱されないようにすることができる。
【００７０】
好ましくは、第２溝５１ｂは、第１溝部５１ａの着脱位置におけるガイドピン１５の位置から軸芯方向に延び、さらに、溝中心が折曲部５１ｄを介して連続する第２溝部５１ｃに接続される。つまり、第２溝部は、溝中心が、軸芯方向に段差状に延伸する。このため、整流板１０を着脱する際には、第２溝部に嵌挿されたガイドピン１５が、軸芯方向と回動方向とに交互に移動案内される。
【００７１】
好ましくは、ホルダ部５０のマーク５２は、第２溝５１ｂに対応したマーク５２ｂおよび第２溝５１ｃに対応したマーク５２ｃを含む。マーク１６，５２ｂ，５２ｃが設けられることで、ユーザが意図的にマーク１６がマーク５２ｂまたはマーク５２ｃと同一直線となる角度としたときのみに整流板１０が内面パネル５に対して着脱される。この場合の整流板１０の着脱の仕方について、図１０を用いて詳しく説明する。
【００７２】
図１０（Ａ）〜（Ｄ）は、第２溝部の溝中心が軸芯方向に段差状に延伸する場合の、整流板１０の着脱手順を説明するための図である。詳しくは、図１０（Ａ）→図１０（Ｂ）→図１０（Ｃ）→図１０（Ｄ）の順に整流板１０の装着手順を表し、図１０（Ｄ）→図１０（Ｃ）→図１０（Ｂ）→図１０（Ａ）の順に整流板１０を内面パネル５から取り外す手順を表している。また、図１０の実線矢印Ａは装着（取り付け）時の向きを表し、点線矢印Ｂは取り外し時の向きを表している。
【００７３】
整流板１０を取り付ける際、整流板１０を内面パネル５に対して、ハンガー部１１のマーク１６がホルダ部５０のマーク５２ｃと同一直線となる角度として、ハンガー部１１のカバー部１３でヒンジ軸４１を覆う（図１０（Ａ））。これにより、カバー部１３裏面のガイドピン１５が第２溝５１ｃに嵌挿される。
【００７４】
次に、実線矢印Ａの向き、つまり、ヒンジ軸４１が嵌合部１４に向かう向き（右向き）に整流板１０をスライドさせる（図１０（Ｂ））。これにより、ガイドピン１５が第２溝５１ｃ内を軸芯方向に移動案内される。
【００７５】
ガイドピン１５は折曲部５１ｄに達すると、折曲部５１ｄによって移動案内が衝止される。そこで、次に、マーク１６がホルダ部５０のマーク５２ｂと同一直線となる角度まで、実線矢印Ａの向きに整流板１０を回動方向に回転させる（図１０（Ｃ））。これにより、カバー部１３裏面のガイドピン１５が折曲部５１ｄを経て第２溝５１ｂに移動案内される。
【００７６】
次に、実線矢印Ａの向き、つまり、嵌合部１４に向かう向き（右向き）に整流板１０をスライドさせる（図１０（Ｄ））。これにより、ガイドピン１５が第２溝５１ｂ内を軸芯方向に第１溝部５１ａに達するまで移動案内される。つまり、ヒンジ軸４１が嵌合部１４と嵌合し、整流板１０が取り付けられる。
【００７７】
整流板１０を取り外す際には、整流板１０を内面パネル５に対して、ハンガー部１１のマーク１６がホルダ部５０のマーク５２ｂと同一直線となる角度として、点線矢印Ｂの向き、つまり、ヒンジ軸４１の先端に向かう向き（左向き）に整流板１０をスライドさせる（図１０（Ｄ））。これにより、ガイドピン１５が第１溝部５１ａから第２溝５１ｂに移動して第２溝５１ｂ内を軸芯方向に移動案内される。
【００７８】
ガイドピン１５は折曲部５１ｄに達すると、折曲部５１ｄによって移動案内が衝止される。そこで、次に、マーク１６がホルダ部５０のマーク５２ｃと同一直線となる角度まで、点線矢印Ｂの向きに整流板１０を回動方向に回転させる（図１０（Ｃ））。これにより、カバー部１３裏面のガイドピン１５が折曲部５１ｄを経て第２溝５１ｃに移動案内される。
【００７９】
次に、点線矢印Ｂの向き、つまり、ヒンジ軸４１の先端に向かう向き（左向き）に整流板１０をスライドさせる（図１０（Ｂ））。これにより、ガイドピン１５が第２溝５１ｃ内を軸芯方向に第２溝５１ｃ端に達するまで移動案内される（図１０（Ａ））。つまり、ヒンジ軸４１が嵌合部１４から抜脱され、整流板１０が取り外される。
【００８０】
第２溝部を、溝中心が軸芯方向に段差状に延伸することによって、図１０（Ａ）〜（Ｄ）で説明されたように、整流板１０を着脱する際に整流板１０を軸芯方向と回動方向とに交互にスライドさせる必要がある。このため、整流板１０の取り外しの際に、整流板１０が着脱位置となったときに意図せず軸芯方向に押勢されて、意図せず整流板１０が内面パネル５から離脱してしまうことを防止できる。
【００８１】
なお、以上の説明に示されたヒンジ部３０の構成、整流板１０の開放動作、および整流板１０の着脱機構は一例であって、上に説明されたものに限定されない。一般的なヒンジ部の構成、整流板の開放動作、および整流板の着脱機構であってもよい。
【００８２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８３】
１  レンジフード
２  フード
３  送風ボックス
４  ファン
５  内面パネル
５Ａ  開口部
５Ｂ  被磁着部
５ａ  後内壁部
５ｂ  前内壁部
５ｃ  右内壁部
５ｄ  左内壁部
６  フィルタ
１０  整流板
１０ａ  後縁部
１０ｂ  前縁部
１０ｃ  右縁部
１０ｄ  左縁部
１１  ハンガー部
１２  接合部
１３  カバー部
１４  嵌合部
１４ａ  切り欠き
１５  ガイドピン
１６  マーク
１７  ストッパー
１７ａ  当接面
２０  磁着部
２０ａ  吸着面
２１  取付部
２１Ａ  固定部
２１Ｂ  連結部
３０  ヒンジ部
４０  ダンパー
４１  ヒンジ軸
４１ａ  切り欠き
５０  ホルダ部
５０Ａ  ケース部
５３  ストッパー
３３ａ  当接面
５１  切り欠き部
５１ａ  第１溝部
５１ｂ，５１ｃ  第２溝部
５１ｄ  折曲部
５１ｍ  溝中心
５２，５２ｂ，５２ｃ  マーク
Ｐ１  第１の位置
Ｐ２  第２の位置
Ｐ３  第３の位置
【図１】
2018115825.tif 000003
【図２】
2018115825.tif 000004
【図３】
2018115825.tif 000005
【図４】
2018115825.tif 000006
【図５】
2018115825.tif 000007
【図６】
2018115825.tif 000008
【図７】
2018115825.tif 000009
【図８】
2018115825.tif 000010
【図９】
2018115825.tif 000011
【図１０】
2018115825.tif 000012